(57)【要約】【課題】  ロック状態が確実に認識できるロック状態認識機能付きパッケージを提供する。【解決手段】  ロック部材が筐体３を保持する位置にあるときに導通し合う対の電極７，８を可動部材６と筐体３とに振り分けて設け、前記対の電極７，８が導通していることを検出してロック部材が保持位置にあることを示す信号を生成するロック状態認識部９を設けた。ロック状態が電気的に認識できる。【選択図】        図１
2005078904.tif 000002
【特許請求の範囲】
【請求項１】
他部材に対して挿抜自在に構成された筐体と、前記他部材への電気的接続のための接続端子と、この接続端子の電気的接続が確実な位置に前記筐体を保持するべく前記挿抜の方向に交差する方向に変位して前記他部材に係合するロック部材と、このロック部材を変位させる操作をするための可動部材とを備えたパッケージにおいて、前記ロック部材が前記筐体を保持する位置にあるときに導通し合う対の電極を前記可動部材と前記筐体とに振り分けて設け、前記対の電極が導通していることを検出して前記ロック部材が保持位置にあることを示す信号を生成するロック状態認識部を設けたことを特徴とするロック状態認識機能付きパッケージ。
【請求項２】
前記可動部材を前記筐体に対して前記挿抜方向に摺動自在に設け、前記筐体には前記可動部材に臨ませて前記挿抜方向の異なる２箇所に電極を設け、前記可動部材には前記挿抜方向に伸びて前記ロック部材が保持位置にあるときのみ前記２箇所の電極の両方に接する電極を設けたことを特徴とする請求項１記載のロック状態認識機能付きパッケージ。
【請求項３】
前記可動部材を前記筐体に対して前記挿抜方向に摺動自在に設け、前記筐体には前記可動部材に臨ませて前記挿抜方向の異なる２箇所に電極を設け、前記可動部材には前記挿抜方向に伸びて前記２箇所の電極の両方に接すると共に漸減する抵抗分布を有する抵抗体からなる電極を設けたことを特徴とする請求項１記載のロック状態認識機能付きパッケージ。
【請求項４】
前記他部材より前記接続端子を介して読取可能なメモリを設け、前記ロック状態認識部よりこのメモリへ前記ロック部材が保持位置にあることを示す情報を書き込むことを特徴とする請求項１〜３いずれか記載のロック状態認識機能付きパッケージ。
【発明の詳細な説明】
【技術分野】
【０００１】
本発明は、ロック機構が設けられたパッケージに係り、特に、ロック状態が確実に認識できるロック状態認識機能付きパッケージに関するものである。
【背景技術】
【０００２】
光通信用パッケージは、光ファイバと通信機器との間に介設され光ファイバから受信した光信号を電気信号に変換して通信機器側に伝えたり、通信機器からの電気信号を光信号に変換して光ファイバ側に伝えたりするものである。このパッケージは、内部の光学素子や電気素子に不具合が生じたときや、通信仕様（光波長や変調方式や通信速度など）を相手と整合させたいときなどに対応するため、光ファイバと通信機器とに対してそれぞれ着脱自在となっている。
【０００３】
光ファイバに対しては、このパッケージの筐体に光ファイバコネクタ（レセプタクル）を形成し、光ファイバ端末に設けた光ファイバコネクタ（プラグ）を接続できるようにする。パッケージの筐体内には送受信用の光素子を設け、この光素子を上記レセプタクルの中に配置する。
【０００４】
通信機器に対しては、このパッケージの筐体から通信機器への電気的接続のための接続端子を露出させて設け、通信機器には相手となる接続端子を設ける。パッケージの着脱は、パッケージの筐体を通信機器に対して挿抜自在に構成し、通信機器にはパッケージの筐体を受け入れるためのケージを設ける。パッケージの筐体が角柱状だとすると、ケージは片端が開口した角筒状とし、この開口部からパッケージを挿抜できるようにする。ケージの反対端に通信機器の接続端子を配置し、この接続端子に対向する位置にパッケージの接続端子を配置することで、パッケージの挿抜に伴わせて電気的接続・遮断を図ることができる。
【０００５】
通信機器に対して着脱自在なパッケージが不慮の振動や衝撃によって脱落しないよう、また、電気的接続が確実な状態が保たれるよう、パッケージにはロック部材が設けられる。具体的には、ロック部材は、筐体が接続端子の電気的接続が確実な位置に存在しているときに前記挿抜方向に交差する方向に変位して通信機器の一部であるケージに係合するものである。ロック部材が前記挿抜方向に交差する方向に変位してケージに係合するので、筐体は保持される。パッケージを抜き取る際にはロック部材がケージに係合しない位置まで反対方向に変位していればよい。
【０００６】
このロック部材をケージに係合する位置から係合しない位置まで変位させる操作をするために可動部材が設けられる。ロック部材は、ケージに係合するようケージの開口部から奥まった場所に配置されるため、このロック部材を開口部の方から操作するには、一部がロック部材に達し、一部が開口部の方に現れている可動部材が必要である。
【０００７】
一般に、ケージは通信機器のシャーシ内部に収容された基板に取り付けられ、通信機器のシャーシにはケージの開口部に重なる窓を形成し、ユーザがこの窓からパッケージを挿抜できるようにする。可動部材もこの窓の外から操作できるようにパッケージの片端に配置する。
【０００８】
【特許文献１】米国特許第６４３９９１８号明細書
【発明の開示】
【発明が解決しようとする課題】
【０００９】
従来技術では、パッケージは、ロック部材がケージに係合している状態から外れても直ちにケージから出てくるわけではない。ロック部材がケージから外れた状態でもパッケージがケージに収容されているという状況が有り得る。この場合、ユーザが外から見てもロック部材がケージに係合しているか外れているか判断することはできない。
【００１０】
また、従来技術では、接続端子による電気的接続・遮断とロック部材の係合・離脱とが完全に連動しているわけではない。接続端子が電気的に遮断しているときにロック部材が係合されることはないが、逆に、接続端子が電気的に接続されているのにロック部材が離脱している場合（中途半端に係合している場合も含む）は有り得る。
【００１１】
電気的接続がとれていることで取りあえず光通信が可能なパッケージがあるとき、ユーザは、ロック部材が離脱していることに気付かないままこのパッケージを利用して光通信を開始してしまう。しかし、このパッケージは振動や衝撃によって脱落する可能性がある。また、脱落しないまでも、接続端子が電気的に遮断されてしまう可能性がある。
【００１２】
そこで、本発明の目的は、上記課題を解決し、ロック状態が確実に認識できるロック状態認識機能付きパッケージを提供することにある。
【課題を解決するための手段】
【００１３】
上記目的を達成するために本発明は、他部材に対して挿抜自在に構成された筐体と、前記他部材への電気的接続のための接続端子と、この接続端子の電気的接続が確実な位置に前記筐体を保持するべく前記挿抜の方向に交差する方向に変位して前記他部材に係合するロック部材と、このロック部材を変位させる操作をするための可動部材とを備えたパッケージにおいて、前記ロック部材が前記筐体を保持する位置にあるときに導通し合う対の電極を前記可動部材と前記筐体とに振り分けて設け、前記対の電極が導通していることを検出して前記ロック部材が保持位置にあることを示す信号を生成するロック状態認識部を設けたものである。
【００１４】
前記可動部材を前記筐体に対して前記挿抜方向に摺動自在に設け、前記筐体には前記可動部材に臨ませて前記挿抜方向の異なる２箇所に電極を設け、前記可動部材には前記挿抜方向に伸びて前記ロック部材が保持位置にあるときのみ前記２箇所の電極の両方に接する電極を設けてもよい。
【００１５】
前記可動部材を前記筐体に対して前記挿抜方向に摺動自在に設け、前記筐体には前記可動部材に臨ませて前記挿抜方向の異なる２箇所に電極を設け、前記可動部材には前記挿抜方向に伸びて前記２箇所の電極の両方に接すると共に漸減する抵抗分布を有する抵抗体からなる電極を設けてもよい。
【００１６】
前記他部材より前記接続端子を介して読取可能なメモリを設け、前記ロック状態認識部よりこのメモリへ前記ロック部材が保持位置にあることを示す情報を書き込んでもよい。
【発明の効果】
【００１７】
本発明は次の如き優れた効果を発揮する。
【００１８】
（１）ロック状態が確実に認識できる。
【発明を実施するための最良の形態】
【００１９】
以下、本発明の一実施形態を添付図面に基づいて詳述する。
【００２０】
図１に示されるように、本発明に係るパッケージは、電子回路１を内蔵しこの電子回路１の信号をやり取りする他部材２に対して挿抜自在に構成された筐体３と、前記電子回路１から前記他部材２への電気的接続のための接続端子４と、この接続端子４の電気的接続が確実な位置に前記筐体３を保持するべく前記挿抜の方向に交差する方向に変位して前記他部材２に係合するロック部材５と、このロック部材５を変位させる操作をするための可動部材６とを備えたパッケージ１０であって、前記ロック部材５が前記筐体３を保持する位置にあるときに導通し合う対の電極７，８を前記可動部材６と前記筐体３とに振り分けて設け、前記対の電極７，８が導通していることを検出して前記ロック部材５が保持位置にあることを示す信号を生成するロック状態認識部９を設けたものである。
【００２１】
なお、図１は、概念図であり、ロック部材５及び可動部材６の構造や係り合いを規定するものではない。可動部材６は、図示左側の他部材２より外から人が操作をすることができればよく、その操作によってロック部材５が他部材２に係合したり離れたりすればよい。ここでは、可動部材６は、筐体３に対して、筐体３を挿抜する方向（挿方向Ｓ１，抜方向Ｓ２）と同じ方向に摺動自在に設けてある。図示の状態は、可動部材６が挿方向Ｓ１に最も深く入り、ロック部材５が筐体３を保持する位置にあり、電極７，８が互いに接触している。可動部材６を抜方向Ｓ２に少し動かすと、ロック部材５が筐体３を保持しない位置にくると共に、電極７，８が互いに離れる。
【００２２】
この構成によれば、ロック部材５が筐体３を保持する位置にあるときには電極７，８が導通し合い、ロック部材５が筐体３を保持しない位置にあるときには電極７，８が非導通となるので、図示しない信号線により電極７，８に接続されたロック状態認識部９ではロック部材５が筐体３を保持する位置にあるかどうかを容易に認識できる。この認識結果はロック状態認識信号として、図示しない表示灯に出力してもよいし、電子回路１の内部で何かの処理を行う条件のひとつに使用してもよいし、接続端子４を介して他部材２に通知することができる。
【００２３】
なお、接続端子４は、従来同様に、破線で示す他部材２内の相手接続端子に対して挿方向Ｓ１に差し込んで電気的接続を図るものである。この接続端子４には、他部材２から電源を供給するための電源端子及びＧＮＤ端子と、他部材２との信号伝送を行う複数の信号端子とが含まれている。
【００２４】
パッケージ１０は、例えば、光通信用パッケージである。光通信用パッケージでは、筐体３に光ファイバコネクタ（レセプタクル）１１を形成し、図示しない光ファイバ端末に設けた光ファイバコネクタ（プラグ）を接続できるようにする。パッケージ１０の筐体３内には送受信用の光素子１２を設け、この光素子１２をレセプタクル１１の中に配置する。他部材２は、上記光通信用パッケージが挿入される通信機器である。
【００２５】
図２に示されるように、本発明に係るパッケージには、電子回路１と電極７，８とロック情報を格納するメモリ２１とが設けられている。電極７は、パッケージ内のＧＮＤに固定的に接続されている。この回路図では電極７はスイッチのヒンジ型電極としてシンボル的に示されているが、図１のようにスライド式スイッチであってもよいし、回転式スイッチであってもよい。図２の一点鎖線より右部は、筐体３及び可動部材６の構造や係り合いに応じて種々の形態とすることができる。電極８は、抵抗器２２を介してパッケージ内のＶＣＣにプルアップされている。よって、ロック状態認識部９には電極７，８の導通／非導通がＧＮＤ電位／ＶＣＣ電位として認識される。ロック状態認識部９は電子回路１内に組み込んでもよいし、独立に設けてもよい。
【００２６】
メモリ２１は、接続端子４を介して図外の他部材２から読み出すことができる。他部材２からの書き込みも可能にしてもよい。また、メモリ２１は、ロック状態認識部９から書き込み可能に構成されている。電子回路１は、従来より知られている光通信処理を行うほかに、ロック状態認識部９の働きにより、リアルタイム（実用上リアルタイムと呼べる程度の時間間隔）で電極７，８の導通／非導通に対応するロック情報、例えば、フラグをメモリ２１の特定番地に書き込むことができる。他部材２はメモリ２１の当該番地からロック状態認識信号を取り出すことになる。
【００２７】
図３に示されるように、対の電極７，８ａ，８ｂを設けてもよい。即ち、筐体３に固定されＶＣＣにプルアップされた信号電極８ａと、信号電極８ａから可動部材６の抜方向Ｓ２に距離を隔てて筐体３に固定されＧＮＤに固定的に接続されたＧＮＤ電極８ｂと、可動部材６に固定され挿抜方向に沿わせて長く伸びた電極７とを設ける。信号電極８ａは、ロック部材５（図１参照）が筐体３を保持する位置に可動部材６が来ているときのみに電極７に接触するよう配置されている。一方、ＧＮＤ電極８ｂは、可動部材６が挿抜方向のどの位置にあっても常に電極７に接触するよう配置されている。よって、電極７もＧＮＤ電位を保つことになるから、回路構成は図２と同じになる。
【００２８】
以上の構成により、ロック状態認識部９は、ロック部材が保持位置にあることを示すロック状態認識信号を生成することができる。このロック状態認識信号は、図示しない表示灯に出力してもよいし、電子回路１の内部で何かの処理を行う条件のひとつに使用してもよいし、接続端子４を介して他部材２に通知してもよい。この結果、ユーザに対して、ロック部材が離脱していることに気付かせることができ、ロック部材が離脱したまま光通信を開始してしまうことが防止される。
【００２９】
次に、可動部材６及び電極７，８の具体的な実施形態を説明する。
【００３０】
図４（ａ）、図４（ｂ）に示されるように、本発明に係るパッケージ１０は、電子回路（図示せず）を内蔵しこの電子回路の信号をやり取りする他部材（図示せず）に対して挿抜自在に構成された筐体３と、前記電子回路から前記他部材への電気的接続のための接続端子４と、この接続端子４の電気的接続が確実な位置に前記筐体３を保持するべく前記挿抜の方向（Ｓ１，Ｓ２）に交差する方向に変位して前記他部材に係合するロック部材（図示せず）と、このロック部材を変位させる操作をするための可動部材６とを備える。筐体３の抜方向Ｓ２の前端には光ファイバコネクタ（レセプタクル）１１が形成されている。図４（ａ）は可動部材６がロック部材を他部材に係合する位置に変位させた状態、図４（ｂ）は可動部材６がロック部材を他部材に係合しない位置に変位させた状態を示す。
【００３１】
可動部材６は、筐体３の両側面にそれぞれ形成された溝４１内に収容されており、筐体３の前端より可動部材６を抜方向Ｓ２に移動させることができる。この可動部材６には溝４１の内側に面して電極（図示せず）が設けられている。また、溝４１の内側には前記可動部材６の電極の対となる電極（図示せず）が設けられている。
【００３２】
溝４１は、最も奥に位置する最奥部４１ａより少し手前に幅広部４１ｂを有する。図４（ａ）の状態では、後述する可動部材６の横方突起５１が最奥部４１ａに位置し、図４（ｂ）の状態では、横方突起５１が幅広部４１ｂに位置する。溝４１は、最も手前よりも少し奥にも幅広部４１ｃを有する。後述する可動部材６の下方突起５２が幅広部４１ｃの奥行き範囲内に運動が規制される。
【００３３】
図５は、可動部材６だけを筐体３の溝４１に収容された位置関係のまま取り出して示したものである。可動部材６は溝４１に嵌まる幅で筐体３の挿抜方向に長く伸びているが、挿方向Ｓ１の最先端には図１のロック部材５として横方に出っ張った横方突起５１が設けられている。手前端の近くには下方に出っ張った下方突起５２が設けられている。
【００３４】
図示のように、電極７は、可動部材６の挿方向Ｓ１の最先端（溝４１の最も奥に届く部分）には届かず、それよりやや手前から可動部材６に沿わせて抜方向Ｓ２に長く形成されている。図５の右側に示した可動部材６にも、破線で示すように左側の可動部材６の電極７と対向する位置に同様の電極７が設けられている。
【００３５】
図６は、図４のパッケージ１０から可動部材６を取り去って筐体３を示したものである。図示のように、溝４１の内側には、ＶＣＣにプルアップされた信号電極８ａと、信号電極８ａから可動部材６の抜方向Ｓ２に距離を隔てて配置されＧＮＤに固定的に接続されたＧＮＤ電極８ｂとが設けられている。
【００３６】
図７に示されるように、電極８（信号電極８ａ，ＧＮＤ電極８ｂ）は、溝４１に露出している接触面部７２と、筐体３の側壁７１に挿通されて側壁７１より筐体３内に突き出したリード部７３とからなる。筐体３内には、電子回路、光素子などを実装した回路基板７４が収容されている。回路基板７４には、電極８に導通させるための導体パターン（図示せず）が設けられている。これにより、ＧＮＤ電極８ｂにはＧＮＤ導体パターンが導通し、信号電極８ａには電子回路に繋がる信号導体パターンが導通することになる。各電極８は導体パターンに接触させるだけでなく、はんだ付けしてもよい。
【００３７】
図４（ｂ）に戻る。信号電極８ａは、溝４１の最奥部４１ａに設けられている。この図ではＧＮＤ電極８ｂの位置は可動部材６に隠れてわからないが、図５、図６と照らし合わせるとわかるように、ＧＮＤ電極８ｂは電極７に接する位置に設けられている。図４（ｂ）の状態では、信号電極８ａは電極７から離れている。この状態から可動部材６を挿方向Ｓ１に移動させると可動部材６の内側にある電極７（図５参照）は信号電極８ａに近付いていくが、可動部材６が溝４１の最も奥に到達するまでは電極７は信号電極８ａに接触しない。可動部材６を溝４１の最も奥まで入れると、外観は図４（ａ）のようになる。このとき、電極７が信号電極８ａに接触する。即ち、可動部材６がロック部材を他部材に係合する位置に変位させた状態においてのみ、電極７は信号電極８ａに接触する。
【００３８】
図４〜図７で説明したパッケージ１０では、電極７，８が人の手に接触しにくい位置に設けられているので、汚れや破損の心配がない。また、パッケージ１０内の回路に電源が入った状態では電極７，８が全く露出しないので、充電部が人の手に接触することはない。
【００３９】
上記の実施形態では、可動部材６が筐体３を挿抜する方向（挿方向Ｓ１，抜方向Ｓ２）と同じ方向に摺動するものとしたが、可動部材６はロック部材を変位させる操作をすることができればよく、筐体３の側面に沿って回動するようにしてもよい。可動部材６は筐体３の側面に設ける必要はなく、筐体３の底部或いは中央部（２つある光ファイバコネクタ１１の中間）に設けてもよい。
【００４０】
次に、図８に示した可動部材６は、外形的には図５の可動部材６と同じであるが、電極７の素材及びパターンが異なる。図５では電極７は電気抵抗がほぼ無視できる導電体で構成し、挿抜方向のどの位置でも幅が同じであったが、図８の電極７は有限の電気抵抗を有する抵抗体で構成し、挿方向Ｓ１に向って幅が次第に狭く形成されている。抵抗体の厚みは一定とすると、挿方向Ｓ１に向って電極７の断面積が小さくなるので、漸減する抵抗分布を有することになる。一方、図示しないが信号電極８ａ，８ｂは両方とも可動部材６の挿抜位置によらず常に電極７に接するよう、図６に示したよりも少し手前にずらして設ける。信号電極８ａ，８ｂ間の距離は一定であるが、前記抵抗分布ゆえに両極間に現れる電極７の抵抗値は可動部材６の挿抜位置によって異なる。よって、この抵抗値が可動部材６の挿抜位置を表すアナログ量となる。ロック状態認識部９では、電極７，８による信号を図２のようにスイッチの信号として認識するのではなく、ボリュームの信号として認識することになる。
【００４１】
次に、図１で省略したロック部材５及び可動部材６の構造の具体例を図９、図１０により説明する。
【００４２】
図９に示されるように、他部材２中にはパッケージ１０の筐体３を受け入れるためのケージ９１が設けられている。ケージ９１は、金属板により一端（この図では下端）に開口部を有する箱状に形成される。ケージ９１の一部は、破断され、開口部に近い方を折り目としてケージ９１の幅方向内側へ折り曲げられ、バネ性を有するバネ部９２を構成している。ロック部材５は、可動部材６の先端に設けられている。ロック部材５は、バネ部９２に対向する斜面を形成しつつ筐体３の幅方向外側に隆起している。バネ部９２の先端がロック部材５の斜面の麓部分に鈍角をなして接している。この状態では、ロック部材５がバネ部９２に当たっており、かつロック部材５は筐体３に対する移動可能範囲の一番奥に位置していいるため、筐体３はケージ９１に保持される。
【００４３】
図１０に示されるように、可動部材６を他部材２より外（この図では下方向）に引き出すと、バネ部９２の先端がロック部材５の斜面に沿って幅方向外側に押しやられる。ロック部材５がバネ部９２を開口部の方へ通過してしまうと、筐体３はケージ９１から自由になり、パッケージ１０を抜き取ることができる。逆に、可動部材６を他部材２の中に押し込むと、バネ部９２の斜面がロック部材５の先端によって幅方向外側に押しやられ、次いで、バネ部９２の先端がロック部材５の斜面に沿って幅方向内側へ戻る。
【００４４】
図９、図１０に示されるように、パッケージ１０には、筐体３に固定的されＧＮＤに固定的に接続されたＧＮＤ電極９３ａと、ＧＮＤ電極９３ａから可動部材６の抜方向に距離を隔てて筐体３に固定されＶＣＣにプルアップされた信号電極９３ｂと、可動部材６に固定され挿抜方向に沿わせて長く伸びた電極７とが設けられている。
【００４５】
図９のラッチ状態において、信号電極９３ｂは電極７を介してＧＮＤ電極９３ａと導通され、電位がＧＮＤとなる。しかし、図１０のデラッチ状態においては、ＧＮＤ電極９３ａが電極７から離れているので、信号電極９３ｂは電位がＶＣＣとなる。
【００４６】
図１１に別の実施形態による回路を示す。このパッケージ１０には、図１で説明したロック部材５が筐体３を保持する位置にあるときに導通し合う対の電極７，８が可動部材６と筐体３とに振り分けて設けられている。図１１の一点鎖線より右部は、筐体３及び可動部材６の構造や係り合いに応じて種々の形態とすることができる。電極８は、抵抗器２２を介してパッケージ内のＶＣＣにプルアップされていると共に接続端子４に接続されている。一方、電極７は、他部材２のシャーシアースＳＧＮＤに落とされている。対の電極７，８が導通しているか否かで接続端子４に異なる電位が現れるので、この回路でロック状態認識部が実現される。接続端子４の電位は他部材２から読み取ることができる。
【００４７】
なお、図示省略した電子回路の回路アースＧＮＤと本発明のロック状態認識に利用するシャーシアースＳＧＮＤは静電気対策、不要輻射対策のために分離して設けるのが望ましい。
【図面の簡単な説明】
【００４８】
【図１】本発明の一実施形態を示すパッケージの平面視概念図である。
【図２】本発明の一実施形態を示すパッケージの回路図である。
【図３】本発明の一実施形態を示す可動部材及び電極の概念図である。
【図４】本発明の一実施形態を示すパッケージの斜視図であり、（ａ）はロック部材係合時、（ｂ）はロック部材非係合時の状態を示す。
【図５】本発明の一実施形態を示す可動部材の斜視図である。
【図６】本発明の一実施形態を示すパッケージ（可動部材なし）の斜視図である。
【図７】本発明の一実施形態を示すパッケージの断面図である。
【図８】本発明の一実施形態を示す可動部材の斜視図である。
【図９】本発明の一実施形態を示すパッケージの平面視詳細図である。
【図１０】本発明の一実施形態を示すパッケージの平面視詳細図である。
【図１１】本発明の一実施形態を示すパッケージの回路図である。
【符号の説明】
【００４９】
１  電子回路
２  他部材
３  筐体
４  接続端子
５  ロック部材
６  可動部材
７  電極（可動部材側）
８  電極（筐体側）
８ａ  信号電極
８ｂ  ＧＮＤ電極
９  ロック状態認識部
【図１】
2005078904.tif 000003
【図２】
2005078904.tif 000004
【図３】
2005078904.tif 000005
【図４】
2005078904.tif 000006
【図５】
2005078904.tif 000007
【図６】
2005078904.tif 000008
【図７】
2005078904.tif 000009
【図８】
2005078904.tif 000010
【図９】
2005078904.tif 000011
【図１０】
2005078904.tif 000012
【図１１】
2005078904.tif 000013